(57)【要約】【課題】床面に対してポールを着脱する操作のみで、パイプハンガー装置等におけるポールの設立および回収（収納）を容易かつ効率的に実施可能にする。【解決手段】床パネルＰの取付孔Ｒに嵌合可能なポール支持用の筒状部材２と、筒状部材２の外周に突設されて、床パネルＰを支承するフランジ３とを有し、筒状部材２下端に螺合される螺条部１３を持つスラブ設置プレート５に、筒状部材２を昇降可能に支持させる構成である。【選択図】図１
0003113206.tif 000002
【実用新案登録請求の範囲】
【請求項１】
床パネルに形成された取付孔に嵌合可能なポール支持用の筒状部材と、
該筒状部材の外周に突設されて、前記床パネルを支承するように該床パネルに固定されるフランジと、
前記筒状部材の下端に螺合される螺条部を有し、前記筒状部材を昇降可能に支持するスラブ設置プレートと、
を備えることを特徴とするポール設立装置。
【請求項２】
前記筒状部材の上端部開口には、蓋プレートを着脱可能に嵌め込むことができる蓋プレート嵌合部が設けられていることを特徴とする請求項１に記載のポール設立装置。
【請求項３】
前記筒状部材内の下部には、水抜き孔が形成されていることを特徴とする請求項１に記載のポール設立装置。
【請求項４】
前記筒状部材下部の内周には、該筒状部材内に挿入されるポール下端の切欠に係合可能なポールの廻り止め突起が設けられていることを特徴とする請求項１に記載のポール設立装置。
【請求項５】
前記スラブ設置プレートには、スラブ上における該スラブ設置プレートの水平レベルを調整するレベル調整ボルトがねじ込まれていることを特徴とする請求項１に記載のポール設立装置。
【考案の詳細な説明】
【技術分野】
【０００１】
本考案は、パイプハンガーやテーブルなどのポール（支柱）を床面パネル上に垂直に設立するためのポール設立装置に関する。
【背景技術】
【０００２】
デパートなどの衣料品の店舗では、種類の異なる衣料品をハンガーに掛け、このハンガーを複数個並べて横桿に吊持可能にするパイプハンガー装置が広く利用されている。このパイプハンガー装置によれば、多品種、多数の衣料品を同時に陳列、販売することができ、販売効率を上げることができる。
【０００３】
ところで、前記パイプハンガー装置は、金属パイプからなる２本の支柱間に、同じく金属パイプからなる横桿を架設したものからなり、必要に応じ各支柱間に補強桿が架設される（例えば、特許文献１参照）。また、各支柱の下端にはキャスタが取り付けられ、パイプハンガー装置の全体が床面上のいずれの場所へも移動可能になっている。
【特許文献１】特開平８-３３６４５６号公報
【考案の開示】
【考案が解決しようとする課題】
【０００４】
従来のパイプハンガー装置は、床面上に移動可能な構成であるため、床面の利用形態に応じて衣料品等の陳列位置を自由自在に変更できる点で利用上有利である。しかし、パイプハンガー装置を床上に設置する必要がなくなっても、このパイプハンガー装置の占有空間が大きいため、床面上に無用の空間を占めることとなり、床面を他の目的に有効利用できなくなるという不都合があった。
【０００５】
一方、床面の利用効率を高めるために、横桿およびキャスタを２本のポールから分離することによって、パイプハンガー装置を分解し、所定部所へ収納することが行われるが、そのパイプハンガー装置の分解、収納と再組み立てには、手間と時間がかかるという問題があった。
【０００６】
本考案は、前記のような従来の問題点を解決するものであり、床面に対してポールを着脱する操作のみで、パイプハンガー装置等におけるポールの設立および回収（収納）を容易かつ効率的に実施でき、不使用時には床面を有効利用することができるポール設立装置を得ることを目的とする。
【課題を解決するための手段】
【０００７】
前記目的達成のために、本考案にかかるポール設立装置は、床パネルに形成された取付孔に嵌合可能なポール支持用の筒状部材と、該筒状部材の外周に突設されて、前記床パネルを支承するように該床パネルに固定されるフランジと、前記筒状部材の下端に螺合される螺条部を有し、前記筒状部材を昇降可能に支持するスラブ設置プレートと、を備えることを特徴とする。
【０００８】
これにより、床パネルの上面に筒状部材の上端部開口が臨むため、この上端部開口に各種用途のポールの下端を指し込むだけで、このポールを床パネル上に真直ぐに設立することができる。また、前記筒状部材はこれに一体のフランジが床パネルを固定的に支えているため、前記スラブ設置プレートの螺合部における螺合度合いを調整することで、スラブからの所定レベルに床パネルを安定かつ水平に支持することができる。
【０００９】
また、本考案にかかるポール設立装置は、前記筒状部材の上端部開口に、蓋プレートを着脱可能に嵌め込むことができる蓋プレート嵌合部が設けられていることを特徴とする。
【００１０】
これにより、筒状部材の上端部開口にポール下端が挿し込まれない場合には、蓋プレート面を床パネル上面と略同一の均一面とすることができ、また上端部開口から管内に塵埃や水などが浸入するのを防止することができる。さらに、上端部開口により歩行者の足の指が負傷する事故を、未然に回避することができる。
【００１１】
また、本考案にかかるポール設立装置は、前記筒状部材内の下部に、水抜き孔が形成されていることを特徴とする。
【００１２】
これにより、床パネル面の清掃中などに筒状部材の上端分開口から管内に落下した水などの液体を、筒状部材の外に速やかに排出し、筒状部材などの錆発生を未然に回避することができる。
【００１３】
また、本考案にかかるポール設立装置は、前記筒状部材下部の内周に、該筒状部材内に挿入されるポール下端の切欠に係合可能なポールの廻り止め突起が設けられていることを特徴とする。
【００１４】
これにより、筒状部材に対してこの筒状部材の上端部開口から挿入されたポールが回転するのを規制することができ、従って、このポールを介して陳列される商品の向きが頻繁に変化するのを防止することができる。
【００１５】
また、本考案にかかるポール設立装置は、前記スラブ設置プレートに、スラブ上における該スラブ設置プレートの水平レベルを調整するレベル調整ボルトがねじ込まれていることを特徴とする。
【００１６】
これにより、スラブ設置プレートの傾き調整を任意に実施することで、筒状部材の上端部開口に挿入されたポールを、常に安定的に垂直方向に起立させることができる。
【考案の効果】
【００１７】
本考案は、パネルに形成された取付孔に嵌合可能なポール支持用の筒状部材を設け、該筒状部材の外周に、前記床パネルを支承するように該床パネルに固定されるフランジを突設し、前記筒状部材の下端に螺条部を螺合して、スラブ設置プレート上に、前記筒状部材を昇降可能に支持させる構成としたことにより、筒状部材の上端部開口に各種用途のポールの下端を指し込むだけで、このポールを床パネル上に真直ぐに設立することができるという効果を有する。。また、筒状部材は、これに一体のフランジが床パネルを支えているため、前記スラブ設置プレートの螺合部における螺合度合いを調整することで、スラブからの所定レベルに床パネルを水平支持することができるという効果を有する。
【考案を実施するための最良の形態】
【００１８】
以下、本考案の実施形態を、図面を参照して詳細に説明する。
図１および図２は、本考案にかかるポール設立装置を示す分解斜視図および組立断面図である。
図１において、本考案にかかるポール設立装置１は、筒状部材２と、フランジ３と、補強板４と、スラブ設置プレート５と、を備えている。
【００１９】
前記筒状部材２は、鉄材や鋼材などの金属加工品または合成樹脂の成型品などからなり、床パネルＰに形成された取付け孔Ｒを貫通しうる高さをもつ。この筒状部材２外周の所定の高さ位置には、前記フランジ３が一体に設けられている。前記筒状部材２内周の略下半部には、図２に示すように、下端部に向かって徐々に内径が縮小するテーパ面(傾斜面）部６が形成されている。このテーパ面部６には、４個の縦長の廻り止め突起７が等間隔に設けられている。この回る度目突起７の形状、サイズは、後述のポールにおける切り割り部に適合するものとする。
【００２０】
また、前記筒状部材２には、これの下端部開口を塞ぐように、底板部８が一体に連接されている。この底板部８の中心部に絞り加工された突出部に、螺条部(ここでは、雌ねじ）９が形成されている。また、この螺条部８には、上端部開口から筒状部材２内に入り込んだ水などの液体を、外へ排出するための水抜き穴１０が、図３に示すように形成されている。
【００２１】
前記フランジ３は、前記のように筒状部材２の外周に一体に突設され、全体として均等で、肉厚に形成されている。このフランジ３は、平面視で例えば矩形をなすが、円形等でもよい。このフランジ３上面から筒状部材２上端までの高さは、略床パネルＰの厚みに設定される。
このフランジ３の複数箇所(例えば、四隅付近）には、上下面に貫通するねじ取付孔１１が設けられている。これらのねじ取付孔１１にねじ１２を通し、床パネルＰ下面にねじ込むことで、床パネルＰ下面に筒状部材２を固定することができる。このとき、床パネルＰがフランジ３によって支持可能な形態になる。
【００２２】
前記補強板４は、フランジ３の下面と筒状部材２の外周面とに連続するように、筒状部材２の周りに等間隔に４個設けられ、これによりフランジ３を補強して水平に保ち、床パネルＰから受ける荷重を安定的に支持するように機能する。
【００２３】
前記スラブ設置プレート５は、図２に示すように、全体として肉厚で矩形をなし、これの上面中央部に螺条部（ここでは、雄ねじ部）１３が上方に向かって突設されている。
【００２４】
また、このスラブ設置プレート５の四隅部分には、プレート固定ボルト１４を挿通するための１個ずつのプレート取付孔１５と、スラブ設定プレート５の水平度を調整可能にする水平レベル調整ボルト１６挿通用のねじ孔１７とが形成されている。ここでは、ねじ孔１７が、プレート取付孔１５に対してスラブ設置プレート５の中心側に、等間隔に４個配置されている。
【００２５】
前記スラブ設置プレート５は、スラブ(コンクリート床）１９上に設置される。このスラブ１９内には予めアンカー１８が埋め込まれており、このアンカー１８の上端部開口に、プレート固定ボルト１４を、プレート取付孔１５を通してねじ込むことができる。このねじ込みにより、スラブ設置プレート５をスラブ１９上に堅固に固定することができる。
【００２６】
また、ねじ孔１７にレベル調整ボルト１６をねじ込んで、その先端をスラブ面に突き当てることにより、そのねじ込み量に応じた角度にスラブ設置プレート５の傾きを調整することができる。
【００２７】
筒状部材２内周の上端部開口にはリング切欠２０が設けられており、このリング切欠２０には、所定の強度、厚みを持つ円板状の蓋プレート２１が着脱自在に装着されている。蓋プレート２１の中心には、蓋プレート２１の引き外し用治具を挿入するための、操作孔２が設けられている。この蓋プレート２１も金属製や合成樹脂製とすることができる。
【００２８】
また、筒状部材２の上端部開口に挿入されるポール２３は、図４に示すように形成されている。このポール２３は、下端部に切欠部である切り割り部２４を有し、この切り割り部２４を形成する四枚の円弧片２５が、ポール２３の中心側に向かって僅かだけ傾斜するように曲げられている。
【００２９】
切り割り部２４は筒状部材２内の前記廻り止め突起７に係合可能なサイズ、形状に形成されている。また、ポール２３における切り割り部２４の上方に、ポールを筒状部材２から引き抜くための引き抜き治具を挿入する操作孔２６が形成されている。
【００３０】
次に、前述のポール設立装置１の組み付け手順を説明する。
床パネルＰへのポール設立前に、まず、アンカー１８が埋設されたスラブ（コンクリート床）１９上に、スラブ設置プレート５を設置する。このとき、アンカー１８の位置とプレーと取付孔１５の位置を合わせる。また、このスラブ設置プレート５のプレート取付孔１５に、プレート固定ボルト１４を通して、各アンカー１８にねじ込む。このため、スラブ設定プレート５がスラブ１９上に確実に固定される。
【００３１】
次に、筒状部材２を用意し、この筒状部材２下端の螺条部９を、スラブ設置プレート５上の螺条部１３にねじ込む。このとき、床パネルＰに予め穿設された取付孔Ｒに筒状部材２の上部を挿通し、フランジ３にて筒状部材２の取付孔Ｒ周辺部を支承させる。かかる作業を、床パネルＰに設けたすべての取付孔Ｒに対して行う。そして、床パネルＰの全体が水平となるように、筒状部材２をスラブ設置プレート５上で回転操作し、各螺合部９、１３の螺合量を調節する。
【００３２】
この螺合量の調整によって、床パネルＰが、管状部材２によって支持される全ての部位で同一レベルになったとき、フランジ３の下面からねじ取付孔３にねじ１１を通して、これを床パネルＰ下面にねじ込む。これにより、筒状部材２が床パネルＰに廻り止め固定され、ポール設立装置１が完成する。このとき、筒状部材２の上端部開口が、床パネルＰの上面に対し面一となる。
【００３３】
筒状部材２の部は、予め蓋プレート２１により塞がれているため、これが床パネルＰと略等しいレベルにある。従って、蓋プレート２１があるときは、筒状部材２が床パネルＰ上を歩く人の支障になることはなく、また、筒状部材２内に塵や水などが入り込むのを防止することができる。
【００３４】
このように筒状部材２を塞ぐ蓋プレート２１を、操作孔２２に治具を挿し込んで引き外すことにより、上端部開口には、ポール２３の下端が挿入可能となる。そこで、このポール２３の下端を筒状部材２の上端部開口から挿入し、軽く押圧する。
【００３５】
なお、このポール２３の挿入作業時には、筒状部材２内の各廻り止め突起７に対し切り割り部２４の位置を合わせる。すると、上記押圧により、廻り止め突起７に切り割り部２４が嵌まり込み、テーパ状の４枚の円弧片２５が傾斜状部６内に密圧される。上記押圧操作は、廻り止め突起７の頭に切り割り部２４の頂部が当るまで行う。
【００３６】
従って、ポール２３は筒状部材２内に堅固かつ安定的に保持されることとなり、床パネルＰ上に垂直に起立することとなる。一方、ポール２３を筒状部材２から分離する場合には、図１に示すように、ポール２３の操作孔２６に治具２７の先端を挿入し、梃子作用を利用して引き抜き操作すればよい。
【００３７】
図５は、このように床パネルＰ上に設立したポール２３の利用形態を例示する。例えば、二本のポール２３間にパイプソケットなどを介して横桿パイプ２８を架設した両持ち型のパイプハンガー装置Ｈ１、一本のポール２３に横桿パイプ２９、３０を木の枝状に分岐させた片持ち型のパイプハンガー装置Ｈ２への利用が可能になる。
また、短寸の四本のポール２３を脚として平板３１を支持させたテーブルや台Ｔへの利用が可能になる。
【００３８】
前記のように、本実施の形態によれば、床パネルＰに形成された取付孔Ｒに嵌合可能なポール支持用の筒状部材２と、筒状部材２の外周に突設されて、床パネルＰを支承するように床パネルＰに固定されるフランジ３と、筒状部材２の下端に螺合される螺条部１３を有し、筒状部材２を昇降可能に支持するスラブ設置プレート５と、を備えることにより、筒状部材２の上端部開口に各種用途のポール２３の下端を指し込むだけで、このポール２３を床パネルＰ上に真直ぐに設立することができる。また、筒状部材２はこれに一体のフランジ３が床パネルＰを支えているため、スラブ設置プレート５の螺合部１３における螺合度合いを調整することで、スラブ１９からの所定レベルに、床パネルＰを水平支持することができる。
【産業上の利用可能性】
【００３９】
本考案のポール設立装置は、床面に対してポールを着脱する操作のみで、パイプハンガー装置等におけるポールの設立および回収（収納）を容易かつ効率的に実施でき、不使用時には床面を有効利用することができるという効果を有し、パイプハンガーやテーブルなどのポール（支柱）を床面上垂直に設立するためのポール設立装置等に有用である。
【図面の簡単な説明】
【００４０】
【図１】本考案の実施の形態によるポール設立装置を示す分解斜視図である。
【図２】本考案の実施の形態によるポール設立装置の組立断面図である。
【図３】図１に示すポール設立装置の平面図である。
【図４】本考案において使用されるポールの一部を示す正面図である。
【図５】本考案のポール設立装置の利用形態を示す説明図である。
【符号の説明】
【００４１】
１…ポール設立装置，２…筒状部材，３…フランジ，５…スラブ設置プレート，１３…螺条部，１６…レベル調整ボルト，２０…蓋プレート嵌合部，２１…蓋プレート，２３…ポール，Ｐ…床パネル，Ｒ…取付孔
【図１】
0003113206.tif 000003
【図２】
0003113206.tif 000004
【図３】
0003113206.tif 000005
【図４】
0003113206.tif 000006
【図５】
0003113206.tif 000007